(57)【特許請求の範囲】
【請求項１】
吹出口から送出される空気の風向を揺動可能な風向板により可変する空気調和機において、
前記風向板がそれぞれ独立して到達可能な第１、第２基準位置を有し、第１基準位置に基づく位置から所定角度揺動する第１揺動範囲と、前記風向板が第２基準位置に基づく位置から所定角度揺動する第２揺動範囲とを切り替え可能にし、
パルス制御されるステッピングモータにより前記風向板を駆動し、前記風向板の最大回動角度と前記ステッピングモータの軸受の遊び角度との和よりも大きい角度に対応するパルスを前記ステッピングモータに送信して、第１基準位置または第２基準位置に前記風向板を到達させたことを特徴とする空気調和機。
【請求項２】
前記風向板を支持する支軸にストッパ片が突設され、前記支軸に嵌合する吹出口側壁に形成した軸孔の周囲に扇形部を形成し、前記ストッパ片が前記扇形部の一端面、他端面に当接する位置を、第１、第２基準位置にしたことを特徴とする請求項１に記載の空気調和機。
【請求項３】
第１、第２揺動範囲と、前記風向板が第１基準位置から第２基準位置まで揺動する第３揺動範囲と、前記風向板が任意位置で停止する停止状態とを順次切り替え可能にし、第３揺動範囲の次に前記停止状態に切り替わるようにしたことを特徴とする請求項１または請求項２に記載の空気調和機。
【請求項４】
前記風向板が第２基準位置で停止する標準停止状態、第２揺動範囲、第１揺動範囲、第３揺動範囲の順に切り替るようにし、第３揺動範囲を揺動する前記風向板の揺動開始の基準位置を第１基準位置にしたことを特徴とする請求項３に記載の空気調和機。
【発明の詳細な説明】
【０００１】
【発明の属する技術分野】
本発明は室内の温度や湿度等を調整する空気調和機に関し、特に室内に送出される空気の風向を調整する風向調整装置を有する空気調和機に関する。
【０００２】
【従来の技術】
従来の空気調和機の構成を図２２に示す。空気調和機８１は、室内の空気を空気調和機内に取り込んで温度や湿度等を調整し、吹出口８２から送出することにより室内の空気を調和する。吹出口８２には送出される空気の風向を可変する風向調整装置８４が設けられている。風向調整装置８４は回動可能な風向板８５を有し、風向板８５の支軸８５ａにはステッピングモータ８６が連結されている。ステッピングモータ８６は制御部８３により制御され、風向板８５を駆動する。
【０００３】
風向板８５の揺動を開始する前に風向板８５の位置合せをするために、吹出口８２の一端には風向板検出センサー８７が設けられている。風向板８５が吹出口８２の一端の基準位置Ｅに到達すると、風向板検出センサー８７により検出して風向板８５が位置決めされる。
【０００４】
また、空気調和機８１の運転状況に応じてスイングボタン（不図示）を操作することにより風向板８５の揺動範囲を可変できる。即ち、風向板８５は基準位置Ｅから揺動角度θ１の第１揺動範囲と、基準位置Ｅから角度θ１の位置にある基準位置Ｆから揺動角度θ２の第２揺動範囲とを揺動することができる。これにより、使用者が所望の方向に空気を送出することができる。
【０００５】
スイングボタン（不図示）の切替えにより第１揺動範囲が選択されると、ステッピングモータ８６の駆動により風向板８５が基準位置Ｅの方向に移動する。風向板検出センサー８７が風向板８５を検出して風向板８５が基準位置Ｅに到達すると、制御部８３の制御により揺動角度θ１で風向板８５が揺動する。
【０００６】
第２揺動範囲が選択されると、ステッピングモータ８６の駆動により風向板８５が基準位置Ｅの方向に移動する。風向板検出センサー８７により風向板８５を検出して風向板８５が基準位置Ｅに到達すると、制御部８３の制御によりステッピングモータ８６を駆動して風向板８５を角度θ１だけ回動する。そして、基準位置Ｆから揺動角度θ２で風向板８５が揺動する。
【０００７】
また、風向板８５を基準位置Ｅに到達させる方法として、上記の風向板検出センサー８７を用いた方法以外に、風向板８５が構造上移動することができる最大角度を基準位置Ｅの方向（図中、時計回り）に向けて移動させることにより風向板８５の位置を基準位置Ｅに位置決めする方法がある。
【０００８】
【発明が解決しようとする課題】
しかしながら、上記の従来の空気調和機８１によると、第２揺動範囲が選択された場合に、基準位置Ｅまで風向板８５が移動するため迅速な揺動範囲の切替えができない問題があった。また、基準位置Ｅを検出するために風向板位置センサー８７を必要とする。このため、空気調和機８１のコストが増大するとともに、風向板位置センサー８７を配置するスペースを必要とするため空気調和機８１が大型になる問題もあった。
【０００９】
更に、風向板８５を回動可能な最大角度だけ回動させて位置決めする場合に、ステッピングモータ８６のモータ軸と風向板８５の軸と間の遊びにより実際には基準位置Ｅまで到達せず、風向板８５の揺動位置がずれる問題もあった。
【００１０】
本発明は、迅速に揺動範囲を可変するとともに風向板の揺動位置のずれがなく、コスト削減及び小型化を図ることのできる空気調和機を提供することを目的とする。
【００１１】
【課題を解決するための手段】
上記目的を達成するために本発明は、吹出口から送出される空気の風向を揺動可能な風向板により可変する空気調和機において、前記風向板がそれぞれ独立して到達可能な第１、第２基準位置を有し、第１基準位置に基づく位置から所定角度揺動する第１揺動範囲と、前記風向板が第２基準位置に基づく位置から所定角度揺動する第２揺動範囲とを切り替え可能にし、パルス制御されるステッピングモータにより前記風向板を駆動し、前記風向板の最大回動角度と前記ステッピングモータの軸受の遊び角度との和よりも大きい角度に対応するパルスを前記ステッピングモータに送信して、第１基準位置または第２基準位置に前記風向板を到達させたことを特徴としている。
【００１２】
この構成によると、第１揺動範囲に切替えられると、風向板は第１基準位置まで回動する。第１基準位置に到達すると、第１基準位置から所定角度回動した位置または第１基準位置から所定角度揺動して吹出口から温度や湿度等が調整された空気が送出される。第２揺動範囲に切替えられると、風向板は第２基準位置まで回動する。第２基準位置に到達すると、第２基準位置から所定角度回動した位置または第２基準位置から所定角度揺動して吹出口から温度や湿度等が調整された空気が送出される。また、ステッピングモータは所定数のパルスを受信して、パルス数に対応する角度だけモータ軸を回転させる。これにより風向板が回動する。風向板の最大回動角度とステッピングモータの軸受の遊び角度との和よりも大きい角度に対応するパルスをステッピングモータに送信すると、風向板は多くとも最大角度だけ回動して第１基準位置または第２基準位置に到達する。その後もステッピングモータは更にパルスを受信するが風向板は留まって第１基準位置または第２基準位置に位置決めされる。これにより、揺動位置にずれが生じることがなくなる。
【００１３】
また本発明は、上記構成の空気調和機において、前記風向板を支持する支軸にストッパ片が突設され、前記支軸に嵌合する吹出口側壁に形成した軸孔の周囲に扇形部を形成し、前記ストッパ片が前記扇形部の一端面、他端面に当接する位置を、第１、第２基準位置にしたことを特徴としている。
【００１４】
この構成によると、第１揺動範囲に切替えられると風向板が回動し、ストッパ片が扇形部の一端面に当接することにより風向板が第１基準位置に到達する。第２揺動範囲に切替えられると風向板が回動し、ストッパ片が扇形部の他端面に当接することにより風向板が第２基準位置に到達する。
【００１８】
また本発明は、上記構成の空気調和機において、第１、第２揺動範囲と、前記風向板が第１基準位置から第２基準位置まで揺動する第３揺動範囲と、前記風向板が任意位置で停止する停止状態とを順次切り替え可能にし、第３揺動範囲の次に前記停止状態に切り替わるようにしたことを特徴としている。この構成によると、停止状態に切替えると第３揺動範囲を揺動する風向板が任意の位置で停止される。
【００１９】
また本発明は、上記構成の空気調和機において、前記風向板が第２基準位置で停止する標準停止状態、第２揺動範囲、第１揺動範囲、第３揺動範囲の順に切り替るようにし、第３揺動範囲を揺動する前記風向板の揺動開始の基準位置を第１基準位置にしたことを特徴としている。
【００２０】
この構成によると、使用頻度の多い標準停止状態や第２揺動範囲を第１揺動範囲よりも先に切り替わるようにすることにより迅速に所望の風向にすることができる。また使用頻度の高い標準停止状態や第２揺動範囲での揺動中に第３揺動範囲に切替えると、第１基準位置に到達後に受信するパルス信号が少なく、第１基準位置で停止している時間が短くなる。
【００２２】
【発明の実施の形態】
以下に本発明の実施形態を図面を参照して説明する。図１、図２は一実施形態の空気調和機である除湿機を示す正面斜視図及び背面斜視図である。除湿機１は、これらの図に示す向きで床面等に設置して使用され、図中の上下方向が使用時の上下方向に一致する。除湿機１は、側面の前側と底面の前側と前面とが前枠２により覆われ、側面の後側と底面の後側と背面とが後枠３により覆われている。
【００２３】
そして、前枠２及び後枠３の側面や底面の周縁に形成された係合爪（不図示）により両者を係合し、上面の一部に開口を形成するように組み立てられている。該開口には空気を送出する排気ユニット１２が取付けられている。排気ユニット１２には、上方及び後方にそれぞれ乾燥空気を吹き出す吹出口４、１８が形成されている。詳細は後述するが、吹出口４には、風向板（不図示）の駆動により吹出口４の遮蔽や風向の可変を行う風向調整装置１７が取付けられている。
【００２４】
後枠３の背面側には室内の空気を取り込む吸込口１５が形成されている。除湿機１の内部側の後枠３には吸込口１５に対応する位置にフィルター７が取付けられるようになっている。フィルター７はアパタイト等により抗菌された抗菌仕様になっており、吸込口１５から除湿機１内に流入する空気に含まれる塵埃、花粉、ウィルス、窒素酸化物等を除去する。フィルター７は後枠３の上面に形成された開口部６１を挿通して着脱可能になっている。
【００２５】
排気ユニット１２の後方には把手１０が枢支され、除湿機１を持ち運びできるようになっている。また、前枠２には、除湿機１の内部を視認できる視認窓１４が前面上部の一方に設けられ、除湿機１の運転操作及び表示を行う操作パネル１３が前面上部の略中央に設けられている。
【００２６】
図３（ａ）、（ｂ）は操作パネル１３の詳細を示す上面図及び正面図である。操作パネル１３の上面側には、空清ボタン２１、除湿ボタン２２、衣類乾燥ボタン２３が設けられている。空清ボタン２１を押下すると、除湿運転を行わずに送風して空清運転が行われ、室内にプラスイオンとマイナスイオンとを同時に送出して室内の浮遊細菌を除去する。
【００２７】
除湿ボタン２２を押下すると、後述する圧縮機を駆動して室内の空気の除湿が行われる。衣類乾燥ボタン２３を押下すると、圧縮機を駆動して、室内の空気を除湿するとともに室内に干した衣類の乾燥が行えるようになっている。後述するイオン発生装置は、空清運転、除湿運転、衣類乾燥運転と併用して駆動される。
【００２８】
操作パネル１３の前面側には、室内温度や運転状態を表示する表示パネル２９が設けられている。表示パネル２９の下方には、除湿切替ボタン２４、風量切替ボタン２５、スイングボタン２７、タイマー切替ボタン２８が配置されている。除湿切替ボタン２４を押下すると、「自動除湿」、「カビアタック」、「連続除湿」、「結露防止」の順に運転モードを切り替える。
【００２９】
風量切替ボタン２５を押下すると、室内に送出される空気の風量が「中」、「静音」、「強」の順に切り替えられる。スイングボタン２７を押下すると、第１縦風向板３０が「上方」、「後方」、「広角」、「切」の順に切り替えられ、室内に送出される空気の風向を切り替えることができる。タイマー切替ボタン２８を押下すると、タイマーのオンオフが切り替えられ、１〜９時間のタイマー時間の設定ができるようになっている。
【００３０】
図４は除湿機１の内部を示す概略側面図である。除湿機１の背面側の下部には圧縮機５が配され、前面側の下部にはドレンパン１９を介して凝縮水を回収するタンク６が配されている。タンク６は前枠２の一部を開くことにより取り出して、貯溜された凝縮水を排水できるようになっている。圧縮機５の上方には、吸込口１５に面して配されるフィルター７の側から順に蒸発器８、凝縮器９、送風機１１が配されている。送風機１１の上方には、放電によりプラスイオンとマイナスイオンとを同時に発生するイオン発生装置１６が配置されている。
【００３１】
送風機１１はモータ１１ａの駆動によってモータ１１ａの外周に設けられたインペラ１１ｂを回転し、除湿機１の背面側の吸込口１５から吸引した空気を周方向に吐出するシロッコファンから成っている。これにより、イオン発生装置１６及び吹出口４、１８の方向に空気が導かれるようになっている。
【００３２】
蒸発器８の一端と凝縮器９の一端とは圧縮機５を介して第１連結管（不図示）により連結され、蒸発器８の他端と凝縮器９の他端とは膨張弁（不図示）を介して第２連結管（不図示）により連結されている。従って、圧縮機５の駆動により第１、第２連結管内の冷媒が流通して冷凍サイクルが運転される。即ち、圧縮機５により圧縮された高温の冷媒は、凝縮器９で熱を放出して凝縮する。凝縮により液化された冷媒は膨張弁で減圧された後、気化する際に蒸発器８で気化熱を奪って圧縮機５に戻る。
【００３３】
送風機１１の駆動により吸込口１５から吸引される室内の空気は、低温側となった蒸発器８と熱交換して冷却される。この時、該空気に含まれた水分が凝縮して凝縮水としてタンク６に回収される。水分を除去して乾燥した空気（以下「乾燥空気」という）は温度が低下しているため、高温側となった凝縮器９と熱交換して除湿前の温度に昇温される。
【００３４】
その後、詳細を後述するように、乾燥空気は送風機１１内を通って一部がイオン発生装置１６に導かれる。残りの乾燥空気は吹出口４、１８（図２参照）に導かれ、イオン発生装置１６を通過後のイオンを含んだ乾燥空気と合流して室内に送出される。これにより、室内の除湿及び殺菌が行われる。
【００３５】
図５、図６、図７は除湿機１の上部の詳細を示す側面断面図、背面図及び上面図である。除湿機１の前面側の一方上部には、視認窓１４に面してイオン発生装置１６が配置されている。イオン発生装置１６はケーシング４１により覆われている。ケーシング４１は、送風機１１を覆うファンケース４４にネジ（不図示）により取付けられている。ケーシング４１の上面及び背面は、ケーシング４１の後方の一部を開口して流出口４１ａを形成するように上部カバー４３で覆われている。
【００３６】
ケーシング４１は仕切板４１ｈにより上下方向に仕切られており、上側にイオン発生装置１６が配置されている。図８はイオン発生装置１６の詳細を示す断面図である。イオン発生装置１６は、筒状の誘電体５０の内面に沿って内電極５１が配され、外面に沿って外電極５２が配されている。外電極５２はバンド５７により誘電体５０に縛着されている。
【００３７】
本実施形態では、誘電体５０として、外径が２０ｍｍのガラス管を用いている。また、内電極５１としてＳＵＳ３０４の平板をロール加工して用い、外電極５２としてＳＵＳ３０４またはＳＵＳ３１６の線材を１６メッシュで平織りしたものをロール加工して用いている。
【００３８】
誘電体５０の両端は、絶縁パッキン５３、５４に形成された溝部５３ａ、５４ａと嵌合し、絶縁パッキン５３、５４が取り付けられている。内電極５１及び外電極５２には、高圧回路から成る電源部（不図示）に接続されるリード線５５、５６がそれぞれ溶着され、外電極５２は接地されている。尚、リード線５５は絶縁パッキン５３の略中央に形成された挿通孔５３ｃに挿通して保持されている。
【００３９】
絶縁パッキン５３、５４の周面には溝部５３ｄ、５４ｄが形成されている。溝部５３ｄ、５４ｄにケーシング４１の内壁に設けられたリブ（不図示）が嵌合してイオン発生装置１６が支持されている。
【００４０】
内電極５１、外電極５２間に高圧の交流電圧が印加されると、プラズマ放電によって印加電圧が正電圧の場合は主としてＨ+(Ｈ2Ｏ)nから成るプラスイオンが生成され、負電圧の場合は主としてＯ2-(Ｈ2Ｏ)mから成るマイナスイオンが生成される。
【００４１】
Ｈ+（Ｈ2Ｏ）n及びＯ2-(Ｈ2Ｏ)mが除湿機１の吹出口４、１８から室内に放出されると、空気中の微生物等の浮遊細菌の表面で凝集し、微生物等の浮遊細菌を取り囲む。そして、式（１）〜（３）に示すように、衝突によって活性種である［・ＯＨ］（水酸基ラジカル）やＨ2Ｏ2（過酸化水素）を微生物等の表面上で生成して浮遊細菌の殺菌を行うようになっている。
【００４２】
Ｈ+(Ｈ2Ｏ)n＋Ｏ2-(Ｈ2Ｏ)m→・ＯＨ＋1/2Ｏ2＋(n+m)Ｈ2Ｏ     ・・・（１）
Ｈ+(Ｈ2Ｏ)n＋Ｈ+(Ｈ2Ｏ)n'＋Ｏ2-(Ｈ2Ｏ)m＋Ｏ2-(Ｈ2Ｏ)m'→ 2・ＯＨ＋Ｏ2＋(n+n'+m+m')Ｈ2Ｏ ・・・（２）
Ｈ+(Ｈ2Ｏ)n＋Ｈ+(Ｈ2Ｏ)n'＋Ｏ2-(Ｈ2Ｏ)m＋Ｏ2-(Ｈ2Ｏ)m'→ Ｈ2Ｏ2＋Ｏ2＋(n+n'+m+m')Ｈ2Ｏ ・・・（３）
【００４３】
図５〜図７において、上部カバー４３にはイオン発生装置１６を照明する発光ダイオード等から成る青色のランプ４９が取付けられている。また、ケーシング４１の前面には視認窓１４に対向する位置に透明板４６が取付けられている。これにより、視認窓１４からイオン発生装置１６の稼働状態を視認できるようになっている。
【００４４】
送風機１１のインペラ１１ｂの周囲はファンケース４４で覆われている。ファンケース４４の上部には乾燥空気を吐出する開口部４４ｂが形成されている。開口部４４ｂには異物侵入を防止する金網等から成る防護板４５が設けられ、防護板４５の上方には開口部４４ｂから吐出される乾燥空気の湿度を検出する湿度センサ７０が設けられている。
【００４５】
図６において、ファンケース４４には、開口部４４ｂの一端から略水平方向に延設されたバイパス部４４ａが形成されている。バイパス部４４ａ上には開口部４４ｂの一部を覆うダクト４２が設けられている。バイパス部４４ａ及びダクト４２によって、送風機１１により周方向に送出される乾燥空気の一部をケーシング４１の流入口４１ｂに導くバイパス通路４８が形成されている。また、ダクト４２の端部には可動する風量調整板６０が設けられている。風量調整板６０は送風機１１の風量に応じてバイパス通路４８に流入する乾燥空気の量を調整できるようになっている。
【００４６】
流入口４１ｂからケーシング４１内に流入した空気は仕切板４１ｈに形成された開口部４１ｃを介してイオン発生装置１６に導かれる。図９はダクト４２の上方から見た上面図を示している。図５、図６及び図９に示すように、イオン発生装置１６を通過した空気は流出口４１ａから流出する。ダクト４２には、段部４２ａが形成されており、段部４２ａの上面には空気をスムーズに流通させる仕切リブ４２ｂが形成されている。
【００４７】
流出口４１ａから流出した空気は、風向調整装置１７を有する排気ユニット１２に導かれる。また、送風機１１により周方向に送出された残りの空気はファンケース４４の周壁により開口部４４ｂから排気ユニット１２に導かれる。そして、合流した空気が風向調整装置１７によって室内の所定の方向へ送出される。
【００４８】
図１０は風向調整装置１７の分解図である。図５及び図１０において、風向調整装置１７は向きに応じて風向を可変する第１、第２縦風向板３０、３１と４枚の横風向板３３とを有している。第１縦風向板３０は排気ユニット１２の外形に沿って湾曲している。第１縦風向板３０は水平軸に枢支されて、第１縦風向板３０に略平行に取付けられた第２縦風向板３１とともに回動して前後方向の風向を可変する。横風向板３３は第１、第２縦風向板３０、３１に枢支され、回動により除湿機１の正面から見て左右方向の風向を可変する。
【００４９】
排気ユニット１２に形成された吹出口４の一方の側壁４ａには軸部１２ａが設けられる。他方の側壁４ａの外側にはステッピングモータ３４が設置される。第１縦風向板３０は断面Ｅ字型をしており、天板３０ｊ、側壁３０ｅ、３０ｆ及び中間壁３０ｂを有している。
【００５０】
第１縦風向板３０の一方の側壁３０ｅには軸孔３０ｃが形成され、他方の側壁３０ｆには軸部３０ｇが形成される。軸孔３０ｃと軸部１２ａとが嵌合し、軸部３０ｇとステッピングモータ３４のモータ軸３４ａとが側壁４ａに形成された孔部４ｂを介して連結されることにより第１縦風向板３０が枢支される。
【００５１】
第２縦風向板３１は断面コ字型としており、底板３１ｄ及び側壁３１ｅ、３１ｆを有している。底板３１ｄの中央には孔部３１ｃが形成され、側壁３１ｅ、３１ｆには孔部３１ｂが形成されている。孔部３１ｂは第１縦風向板３０の側壁３０ｅ、３０ｆに設けられた爪部３０ｄに係合する。また、孔部３１ｃにネジ（不図示）を挿通して第１縦風向板３０の中間壁３０ｂに形成されたネジ孔３０ｍに螺合する。これにより、第１、第２縦風向板３０、３１が略平行に一体化される。
【００５２】
第１縦風向板３０の天板３０ｊには４箇所に断面円形のボス孔３０ａが形成されている。第２縦風向板３１の底板３１ｄには４箇所に断面円形のボス３１ａが形成されている。横風向板３３の上下にはそれぞれ断面円形のボス３３ａ及びボス孔３３ｂが形成されている。ボス孔３０ａとボス３３ａとを嵌合し、ボス３１ａとボス孔３３ｂとを嵌合することにより横風向板３３が枢支されている。
【００５３】
また、横風向板３３には第２縦風向板３１と対向する面の一部を切欠いた切欠き部３３ｇが設けられ、切欠き部３３ｇに断面円形のボス３３ｄが突設されている。２枚の横風向板３３の各ボス部３３ｄは連結板３５に設けられた孔部（不図示）に遊嵌されている。これにより、２枚の横風向板３３が連結板３５により連結され、連動して回動するようになっている。
【００５４】
図２１は風向調整装置１７の駆動制御の構成を示すブロック図である。制御部７１にはスイングボタン２７（図３参照）からの入力信号を受信する入力回路７４、制御データを記憶するメモリ７２、メモリ７２の情報及び入力信号に基づいて制御信号を演算するＣＰＵ７３、ＣＰＵ７３から送信された制御信号をステッピングモータ３４に出力する出力回路７５が設けられる。
【００５５】
スイングボタン２７からの入力信号は、入力回路７４に入力される。メモリ７２の情報及び入力信号に基づいてステッピングモータ３４の動作を制御するパルス信号がＣＰＵ７３により演算される。そして、パルス信号が出力回路７５を介してステッピングモータ３４に送信され、ステッピングモータ３４のモータ軸３４ａがパルス数に応じた角度だけ駆動される。
【００５６】
これにより、第１、第２縦風向板３０、３１が軸部１２ａ、３０ｇを中心に回動する。図１２に示すように、吹出口４の側壁４ａに形成される孔部４ｂは周縁の一部を切欠いて扇形部４ｄが形成されている。また、第１縦風向板３０の軸部３０ｇの周面にはストッパー片３０ｈが突設されている。
【００５７】
ステッピングモータ３４の駆動により第１縦風向板３０が図中、時計回りに回動すると、扇形部４ｄの一端面４ｅ（ストッパ）にストッパー片３０ｈが当接する。これにより、第１縦風向板３０は第１基準位置Ａに位置決めされる。また、第１縦風向板３０が図中、反時計回りに回動すると、扇形部４ｄの他端面４ｆ（ストッパ）にストッパー片３０ｈが当接する。これにより、第１縦風向板３０は第２基準位置Ｂに位置決めされる。
【００５８】
詳細は後述するが、除湿機１を使用しない際には第１縦風向板３０は第１基準位置Ａに配置され、前述の図５に示すように第１縦風向板３０により吹出口４が閉じられた状態になる。これにより、吹出口４からの塵埃等の侵入が防止されるようになっている。
【００５９】
第１縦風向板３０を図中、反時計回りに角度θ０（＝１００゜）だけ回動すると第１縦風向板３０は第２基準位置Ｂに配置され、図１１に示すように吹出口４が開放される。この時、横風向板３３の突出部３３ｃを手指で可動することにより横風向板３３の向きを可変できる。
【００６０】
尚、図５、図１１において、吹出口４の前壁４ｃ及び流出口４１ａの上壁４３ａは吹出口４が開放された際に侵入する手指がイオン発生装置１６との接触を防止する遮蔽手段を構成している。これにより、手指とイオン発生装置１６との接触による感電等の事故を防止することができるとともに、イオン発生装置１６を吹出口４の近傍に配置してイオン発生後の流通経路内の壁面等との衝突によるイオンの消滅を抑制することができる。
【００６１】
上記構成の除湿機１の動作を以下に説明する。除湿機１の電源が入れられると、空清ボタン２１、除湿ボタン２２、衣類乾燥ボタン２３（いずれも図３参照）のいずれかが押下されるまで待機される。除湿ボタン２２が押下されると、圧縮機５が駆動され、送風機１１（図４参照）が風量「中」で駆動される。
【００６２】
風量切替ボタン２５を押下することにより、風量「中」よりも風量が少なく送風機１１の運転による騒音が低減される「静音」や、風量「中」よりも風量が多い「強」に切り替えることができる。
【００６３】
また、風向調整装置１７のステッピングモータ３４が駆動され、風向が「上方停止」に設定される。この時の風向調整装置１７の動作を図１３に示す。まず、ステップ＃１１で、ステッピングモータ３４に回転角度が１１０゜に対応するパルスが送られ第１風向板３０が図１２の実線で示す第１基準位置Ａから二点鎖線で示す第２基準位置Ｂに向けて回動を開始する。
【００６４】
本実施形態では、第１基準位置Ａと第２基準位置Ｂとの角度θ０（最大回動角度）が１００゜に形成されている。ステッピングモータのモータ軸３４ａと第１縦風向板３０の軸部３０ｇとの間には遊びがあるため、パルス信号に対して第１縦風向板３０の回動角度に誤差が生じる。このため、ステッピングモータ３４には余裕を見て、最大回動角度と該遊びの角度との和よりも多い１１０゜分のパルス信号が送信される。これにより、確実に第１縦風向板３０を第２基準位置Ｂに到達させることができる。
【００６５】
ステップ＃１２では、第１縦風向板３０が第２基準位置Ｂに到達すると、モータ軸３４ａには負荷がかかるため以後のパルス信号によって回転しない。これにより、第１縦風向板３０が第２基準位置Ｂに停止する。これにより、「上方停止」状態（標準停止状態）になる。そして、乾燥空気及びイオンが上方の吹出口４から送出される。
【００６６】
風向調整装置１７はスイングボタン２７（図３参照）を押下することにより前述したように、揺動方向が順に「上方」、「後方」、「広角」、「切」に切り換わる。除湿機１の運転開始当初は風向が「上方停止」になっており、スイングボタン２７を１回押下すると図１４の「上方」揺動処理が行われる。
【００６７】
「上方」揺動処理では、ステップ＃２１でステッピングモータ３４に回動角度１１０゜に対応するパルスが送られ、第１風向板３０が第２基準位置Ｂに向けて回動を開始する。第１風向板３０は、風向が「上方停止」の場合は既に第２基準位置Ｂに配されている。しかし、手動によって第１風向板３０の位置が変動している場合や、前述の図１３の処理において第１風向板３０の回動中にスイングボタン２７が押下された場合を考慮して、第１風向板３０を第２基準位置Ｂに向けて回動させるようになっている。
【００６８】
ステップ＃２２では、第１縦風向板３０が第２基準位置Ｂに到達すると、以後のパルス信号によってモータ軸３４ａは回転せず、第１縦風向板３０が第２基準位置Ｂに停止する。ステップ＃２３では図１５に示すように、第１風向板３０が第１基準位置Ａの方向へ揺動角度θ２（本実施形態では５０゜）で回動する。第１風向板３０が揺動角度θ２だけ回動すると、ステップ＃２４で、第２基準位置Ｂの方向へ揺動角度θ２（５０゜）で回動する。そして、ステップ＃２３、＃２４が繰り返し行われて第１風向板３０が揺動する。
【００６９】
揺動方向が「上方」の状態からスイングボタン２７を１回押下すると図１６の「後方」揺動処理が行われる。「上方」揺動よりも「後方」揺動の方が使用頻度が少ないと考えられ、「上方」の後に「後方」に切り替るようにすることで、頻度の多い「上方」揺動への切替を迅速に行うことができるようになっている。
【００７０】
「後方」揺動処理では、ステップ＃３１でステッピングモータ３４に回転角度が１１０゜に対応するパルスが送られ、第１風向板３０が第１基準位置Ａに向けて回動を開始する。ステップ＃３２では、図１７に示すように、第１縦風向板３０が第１基準位置Ａに到達すると、以後のパルス信号によってモータ軸３４ａは回転せず、第１縦風向板３０が第１基準位置Ａに停止する。
【００７１】
ステップ＃３３では、第１風向板３０が第２基準位置Ｂの方向へ揺動角度θ１（本実施形態では５０゜）で回動する。第１風向板３０が揺動角度θ１だけ回動すると、ステップ＃３４で、第１基準位置Ａの方向へ揺動角度θ１（５０゜）で回動する。そして、ステップ＃３３、＃３４が繰り返し行われて第１風向板３０が揺動する。
【００７２】
揺動方向が「後方」の状態からスイングボタン２７を１回押下すると図１８の「広角」揺動処理が行われる。「広角」揺動処理では、ステップ＃４１でステッピングモータ３４に回転角度が１１０゜に対応するパルスが送られ、第１風向板３０が第１基準位置Ａに向けて回動を開始する。
【００７３】
ステッピングモータ３４には１１０゜分のパルスが送られるため、第１風向板３０がどの位置にあっても第１基準位置Ａに到達できるようになっている。ここで、揺動方向が「後方」で第１風向板３０が揺動していれば、約５０゜回動させれば第１基準位置Ａに到達できる。しかし、前述の図１４の処理において第１風向板３０の回動中にスイングボタン２７が連続して２回押下された場合や、風向が「上方停止」状態から連続して３回スイングボタン２７が押下された場合等を考慮して１１０゜分だけ回動させている。
【００７４】
ステップ＃４２では、前述の図１２に示すように、第１縦風向板３０が第１基準位置Ａに到達すると、以後のパルス信号によってモータ軸３４ａが回転せず、第１縦風向板３０が第１基準位置Ａに停止する。これにより、第１基準位置Ａが揺動の基準位置になる。揺動方向が「広角」の場合は、第１縦風向板３０が第１、第２基準位置Ａ、Ｂ間を揺動するため、第１、第２基準位置Ａ、Ｂのどちらを揺動の基準位置としてもよい。
【００７５】
しかし、揺動方向が「後方」での使用頻度が少ないと考えられ、「上方停止」の状態または「上方」揺動の状態から「広角」に切り替えられる場合が多い。このため、１１０゜分のパルス信号が送信された場合に、第２基準位置Ｂに移動して到達後余るパルス信号よりも、第１基準位置Ａに移動して到達後余るパルス信号の方が少なくなる。従って、第１基準位置Ａで停止している時間の方が短くなり、第２基準位置Ｂに到達後「広角」で揺動するよりもスムーズな動きを得ることができるようになっている。
【００７６】
ステップ＃４３では、スッテピングモータ３４に１０５゜分のパルス信号が送信され、第１風向板３０が第２基準位置Ｂの方向へ回動する。第１風向板３０が揺動角度θ３（本実施形態では１００゜）だけ回動すると、第２基準位置Ｂに到達して以後のパルス信号が無視される。ステップ＃４４では、同様に、１０５゜分のパルス信号が送信され、第１基準位置Ａの方向へ揺動角度θ３（＝１００゜）だけ回動する。そして、ステップ＃４３、＃４４が繰り返し行われて第１風向板３０が揺動する。
【００７７】
揺動方向が「広角」の状態からスイングボタン２７を１回押下すると図１９の揺動「切」処理が行われる。揺動「切」処理では、ステップ＃５１でステッピングモータ３４が停止され終了する。これにより、スイングボタン２７を押下したときの位置で第１縦風向板３０が停止したまま吹出口４から乾燥空気及びイオンが送出される。
【００７８】
揺動方向が「広角」の状態の次に「切」の状態に切り替るようにすることによって、第１縦風向板３０を閉塞位置から全開位置までの任意の位置で容易に停止させることができるようになっている。
【００７９】
除湿運転の運転モードは当初「自動除湿」に設定されており、室温２８℃よりも低い場合は湿度が６０％以下になると圧縮機５が停止され、室温２８℃以上の場合は湿度が５５％以下になると圧縮機５が停止されるようになっている。除湿ボタン２２を押下して運転モードを「カビアタック」に切り替えると、湿度が４９％以下になると圧縮機５が停止されるようになっている。
【００８０】
運転モードを「連続除湿」に切り替えると、圧縮機５が連続で運転される。そして、湿度が例えば３０％以下になると除湿効率が低下するため圧縮機５が停止される。また、運転モードを「結露防止」に切り替えると、室温が１５℃よりも低くなった場合は自動的に風量を「強」に切り替えて室内の結露を防止するようになっている。
【００８１】
圧縮機５の駆動により冷凍サイクルが運転され、送風機１１が駆動されると、吸込口１５から室内の空気が除湿機１内に取り入れられる。水分を含んだ室内の空気は低温側の蒸発器８により冷却され、水分が凝縮して乾燥空気となる。その後、高温側の凝縮器９により元の温度に昇温されてファンケース４４の開口部４４ｂから送出される。
【００８２】
一部の乾燥空気はファンケース４４からバイパス通路４８を通り、流入口４１ｂを介してイオン発生装置１６に導かれる。イオン発生装置１６を通る乾燥空気はイオン発生装置１６により発生したイオンを運んで流出口４１ａを介してケーシング４１から流出する。
【００８３】
そして、ファンケース４４の開口部４４ｂから送出される残りの乾燥空気と合流して、吹出口４または吹出口１８から室内にプラスイオンとマイナスイオンが放出され、室内に浮遊細菌を除去することができる。従って、室内の空気を除湿するとともに、人体に有害な室内の浮遊細菌が過酸化水素や水酸基ラジカルにより除去され、快適な住環境を得ることができる。
【００８４】
尚、送風機１１の風量が「静音」の場合は、前述の図６に示す風量調節板６０が実線で示した位置になる。これにより、バイパス通路４８に流入する乾燥空気の比率が高くなる。送風機１１の風量が「強」の場合は、風量調節板６０が破線で示した位置になる。これにより、バイパス通路４８に流入する乾燥空気の比率が低くなる。送風機１１の風量が「中」の場合は、風量調節板６０が実線の位置と破線の位置との中間になる。
【００８５】
従って、イオン発生装置１６に導かれる乾燥空気の量が送風機１１の風量に関わらず略一定に保たれる。その結果、風量増加による壁面等との衝突によるイオンの消失を防止し、安定した量のイオンを供給することができる。
【００８６】
次に、衣類乾燥ボタン２３（図３参照）が押下された場合は、圧縮機５が駆動され、送風機１１が風量「中」で駆動される。また、風向調整装置１７のステッピングモータ３４が駆動され、風向が「上方停止」に設定される。衣類乾燥運転では室温や湿度の状態に関わらず連続で除湿運転が行われる。
【００８７】
この時、除湿運転時と同様に、イオン発生装置１６によりプラスイオンとマイナスイオンとが同時に発生し、乾燥空気により室内に送出される。これにより、室内の浮遊細菌が除去される。また、風量「強」で衣類乾燥運転を行うと、最大風量で除湿運転を行うことができ、効率良く室内に干した衣類を乾燥させることができる。
【００８８】
空清ボタン２１（図３参照）が押下された場合は、圧縮機５は駆動されず、送風機１１が風量「中」で駆動される。また、風向調整装置１７のステッピングモータ３４が駆動され、風向が「上方停止」に設定される。そして、イオン発生装置１６によりイオンが発生して室内に送出され、室内の空気を循環して浮遊細菌を除去する空清運転が行われるようになっている。
【００８９】
除湿ボタン２２、衣類乾燥ボタン２３及び空清ボタン２１の操作により除湿運転、衣類乾燥運転及び空清運転が停止されると、図２０に示す運転停止処理が行われる。運転停止処理では、ステップ＃６１でステッピングモータ３４に回転角度が１１０゜に対応するパルスが送られ、第１縦風向板３０が第１基準位置Ａに向けて回動を開始する。
【００９０】
ステップ＃６２では、第１縦風向板３０が第１基準位置Ａに到達すると、以後のパルス信号によってステッピングモータ３４のモータ軸３４ａが回転しない。これにより、第１縦風向板３０が第１基準位置Ａに停止して吹出口４が閉塞され、運転が終了する。
【００９１】
本実施形態によると、第１縦風向板３０の軸部３０ｇに突設されたストッパ片３０ｈと、軸部３０ｇと嵌合する孔部４ｂの周囲に形成された扇形部４ｄの両端との当接により、第１縦風向板３０が第１、第２基準位置Ａ、Ｂに位置決めされる。
【００９２】
従って、第１縦風向板３０は独立して第１、第２基準位置Ａ、Ｂにそれぞれ到達可能で、第１、第２基準位置Ａ、Ｂに基づいた位置をそれぞれ異なる揺動範囲の開始位置とすることにより、複数の揺動範囲の開始位置に風向板を迅速に移動させることができ、使用者が所望する揺動範囲に素早く復帰させることができる。また、第１縦風向板３０の位置を検出する検出センサーを設ける必要がなく、除湿機１のコスト削減及び小型化を図ることができる。尚、第１、第２基準位置Ａ、Ｂから所定角度回動した位置を揺動範囲の開始位置としてもよい。
【００９３】
また、第１縦風向板３０が構造上回動できる最大回動角度とステッピングモータ３４の軸受の遊び角度との和よりも大きい角度に対応するパルスをステッピングモータ３４に送信するため、第１縦風向板３０を確実に第１基準位置Ａまたは第２基準位置Ｂに到達させることができる。従って、揺動動作の揺動位置にずれが生じることがなくなる。また、除湿運転等の運転を停止すると第１縦風向板３０により吹出口４が閉塞されるので、吹出口４からの塵埃の侵入を防止することができる。
【００９４】
尚、本実施形態は冷凍サイクルを運転する除湿機について説明しているが、室内の塵埃や浮遊細菌を除去する空気清浄機や、室内の温度を調整する空気調和機であってもよい。この場合でも、本実施形態の風向調整装置を設けることにより本実施形態と同一の効果を得ることができる。
【００９５】
【発明の効果】
本発明によると、風向板がそれぞれ独立して到達可能な第１、第２基準位置を有し、第１基準位置に基づく位置から所定角度揺動する第１揺動範囲と、風向板が第２基準位置に基づく位置から所定角度揺動する第２揺動範囲とを切り替え可能にしているので、複数の揺動範囲の開始位置に風向板を迅速に移動させることができ、使用者が所望する揺動範囲に素早く復帰させることができる。また、風向板が構造上回動できる最大回動角度とステッピングモータの軸受の遊び角度との和よりも大きい角度に対応するパルスをステッピングモータに送信するため、風向板を確実に第１基準位置または第２基準位置に到達させることができる。従って、揺動動作の揺動位置にずれが生じることがなくなる。
【００９６】
また本発明によると、風向板を支持する支軸にストッパ片が突設され、支軸に嵌合する吹出口側壁に形成した軸孔の周囲に扇形部を形成し、ストッパ片が扇形部の一端面、他端面に当接する位置を、第１、第２基準位置にしているので、風向板が独立して到達可能な第１、第２基準位置を容易に形成することができる。また、風向板の位置を検出する検出センサーを設ける必要がなく空気調和機のコスト削減及び小型化を図ることができる。
【００９８】
また本発明によると、第１基準位置から第２基準位置まで風向板が揺動する第３揺動範囲の次に、風向板が任意の位置で停止する停止状態に切り替わるようにしているので、風向板を例えば吹出口の閉塞位置から全開位置までの任意の位置で容易に停止させることができる。
【００９９】
また本発明によると、標準停止状態、第２揺動範囲、第１揺動範囲、第３揺動範囲の順に切り替わるようにしているため、使用頻度の多い標準停止状態や第２揺動範囲に迅速に切替えるようにすることができる。また、第３揺動範囲を揺動する風向板の揺動開始の基準位置を第１基準位置にしているので、使用頻度の多い標準停止状態や第２揺動範囲での揺動中に第３揺動範囲に切替えると、第２基準位置を基準位置にする場合に比して、基準位置に到達後余るパルス信号が少なく、基準位置で停止している時間が短くなるため、スムーズな動きを得ることができる。
【図面の簡単な説明】
【図１】    本発明の実施形態の除湿機の前面を示す斜視図である。
【図２】    本発明の実施形態の除湿機の背面を示す斜視図である。
【図３】    本発明の実施形態の除湿機の操作パネルを示す図である。
【図４】    本発明の実施形態の除湿機の内部構造を示す側面図である。
【図５】    本発明の実施形態の除湿機の上部を示す側面断面図である。
【図６】    本発明の実施形態の除湿機の上部の構造を示す背面図である。
【図７】    本発明の実施形態の除湿機の上部の構造を示す上面断面図である。
【図８】    本発明の実施形態の除湿機のイオン発生装置を示す断面図である。
【図９】    本発明の実施形態の除湿機の上部の構造を示す上面図である。
【図１０】  本発明の実施形態の除湿機の風向調整装置を示す分解図である。
【図１１】  本発明の実施形態の除湿機の上部を示す側面断面図である。
【図１２】  本発明の実施形態の除湿機の第１縦風向板が第１基準位置から回動する状態を説明する側面断面図である。
【図１３】  本発明の実施形態の除湿機の風向調整装置の運転開始の動作を示すフローチャートである。
【図１４】  本発明の実施形態の除湿機の風向調整装置の「上方」揺動処理の動作を示すフローチャートである。
【図１５】  本発明の実施形態の除湿機の第１縦風向板の揺動方向が「上方」の状態を説明する側面断面図である。
【図１６】  本発明の実施形態の除湿機の風向調整装置の「後方」揺動処理の動作を示すフローチャートである。
【図１７】  本発明の実施形態の除湿機の第１縦風向板の揺動方向が「後方」の状態を説明する側面断面図である。
【図１８】  本発明の実施形態の除湿機の風向調整装置の「広角」揺動処理の動作を示すフローチャートである。
【図１９】  本発明の実施形態の除湿機の風向調整装置の揺動「切」処理の動作を示すフローチャートである。
【図２０】  本発明の実施形態の除湿機の風向調整装置の運転停止の動作を示すフローチャートである。
【図２１】  本発明の実施形態の除湿機の風向調整装置の構成を示すブロック図である。
【図２２】  従来の空気調和機を示す概略構成図である。
【符号の説明】
１    除湿機
２    前枠
３    後枠
４    吹出口
５    圧縮機
６    タンク
７    フィルター
８    蒸発器
９    凝縮器
１０    把手
１１    送風機
１２    排気ユニット
１３    操作パネル
１４    視認窓
１５    吸込口
１６    イオン発生装置
１７    風向調整装置
１８    吹出口
１９    ドレンパン
２１    空清ボタン
２２    除湿ボタン
２３    衣類乾燥ボタン
２４    除湿切替ボタン
２５    風量切替ボタン
２７    スイングボタン
２８    タイマー切替ボタン
２９    表示パネル
３０    第１縦風向板
３１    第２縦風向板
３３    横風向板
３４    ステッピングモータ
４１    ケーシング
４２    ダクト
４４    ファンケース
４５    防護板
４８    バイパス通路
４９    ランプ
５０    誘電体
５１    内電極
５２    外電極
６０    風量調整板
６１    開口部
７０    湿度センサ
７１    制御部
【図１】
0003748046.tif 000002
【図２】
0003748046.tif 000003
【図３】
0003748046.tif 000004
【図４】
0003748046.tif 000005
【図５】
0003748046.tif 000006
【図６】
0003748046.tif 000007
【図７】
0003748046.tif 000008
【図８】
0003748046.tif 000009
【図９】
0003748046.tif 000010
【図１０】
0003748046.tif 000011
【図１１】
0003748046.tif 000012
【図１２】
0003748046.tif 000013
【図１３】
0003748046.tif 000014
【図１４】
0003748046.tif 000015
【図１５】
0003748046.tif 000016
【図１６】
0003748046.tif 000017
【図１７】
0003748046.tif 000018
【図１８】
0003748046.tif 000019
【図１９】
0003748046.tif 000020
【図２０】
0003748046.tif 000021
【図２１】
0003748046.tif 000022
【図２２】
0003748046.tif 000023